(57)【要約】【課題】高いセキュリティを安価に確保できる保管庫及び錠前ユニットを提供すること。【解決手段】電子キー５１の複数の端子５３，５４に接触してＩＣチップ５２のＩＣチップデータを読み取り、ＩＣチップデータに基づいて正当な権限を認証できた場合にソレノイド２７に通電して作動軸２８をレバーシャフト３７の回転を阻止する回転阻止位置からレバーシャフト３７の回転を許容する回転許容位置へ移動させる保管庫１において、レバーシャフト３７に配置され、レバーシャフト３７に差し込まれる電子キー５１に押圧されてレバーシャフト３７の回転を阻止するロック位置からレバーシャフト３７の回転を許容するロック解除位置へ変位するリリースカム４６を有する。【選択図】図７
2010090600.tif 000002
【特許請求の範囲】
【請求項１】
１又は２以上の収納ボックスと、複数の端子を備える接触式ＩＣチップを内蔵する電子キーと、前記収納ボックスに取り付けられ、前記電子キーが差し込まれる内筒を外筒に対して回転させることにより前記収納ボックスの施錠と解錠を行う錠前と、前記内筒に係合して前記内筒の回転を阻止する作動軸を電気的に作動させる回転阻止手段と、前記複数の端子に接触して前記ＩＣチップのＩＣチップデータを読み取り、前記ＩＣチップデータに基づいて正当な権限を認証できた場合に前記回転阻止手段に通電して前記作動軸を前記内筒の回転を阻止する回転阻止位置から前記内筒の回転を許容する回転許容位置へ移動させる制御手段と、を有する保管庫において、
前記内筒に配置され、前記内筒に差し込まれる前記電子キーに押圧されて前記内筒の回転を阻止するロック位置から前記内筒の回転を許容するロック解除位置へ変位するリリースカムを有する
ことを特徴とする保管庫。
【請求項２】
請求項１に記載する保管庫において、
前記リリースカムを前記ロック位置へ向かって付勢するリリースばねを有し、
前記リリースカムは、前記内筒の前記電子キーを差し込まれる挿入孔に揺動可能に配置され、前記挿入孔に前記電子キーを差し込んでいない場合には、前記リリースばねに付勢されて前記ロック位置に配置され、前記挿入孔に前記電子キーを差し込んだ場合に、前記リリースばねを圧縮して揺動し、前記ロック解除位置に配置される
ことを特徴とする保管庫。
【請求項３】
請求項１又は請求項２に記載する保管庫において、
前記回転阻止手段が、通電時に前記作動軸を吸引して前記回転許容位置へ移動させるソレノイドであって、
前記回転許容位置に配置された前記作動軸を保持するストッパ部材を有し、
前記制御手段は、前記ストッパ部材が前記作動軸を前記回転許容位置で保持した後に、前記ソレノイドへの通電を停止する
ことを特徴とする保管庫。
【請求項４】
請求項１乃至請求項４の何れか一つに記載する保管庫において、
前記錠前ユニットは電池を有する
ことを特徴とする保管庫。
【請求項５】
請求項４に記載する保管庫において、
前記電池と並列にコンデンサを設け、
前記ソレノイドに通電しない場合に前記コンデンサにチャージを行い、前記ソレノイドに通電する場合に、前記電池の電圧と前記コンデンサの電圧とを加算して前記ソレノイドに印加する
ことを特徴とする保管庫。
【請求項６】
保管庫の収納ボックスに取り付けられて前記収納ボックスの開閉を許可するものであって、複数の端子を備える接触式ＩＣチップを内蔵する電子キーと、前記電子キーが差し込まれる内筒を外筒に対して回転させることにより前記収納ボックスの施錠と解錠を行う錠前と、前記内筒に係合して前記内筒の回転を阻止する作動軸を電気的に作動させる回転阻止手段と、前記複数の端子に接触して前記ＩＣチップのＩＣチップデータを読み取り、前記ＩＣチップデータに基づいて正当な権限を認証できた場合に前記回転阻止手段に通電して前記作動軸を前記内筒の回転を阻止する回転阻止位置から前記内筒の回転を許容する回転許容位置へ移動させる制御手段と、を有する錠前ユニットにおいて、
前記内筒に配置され、前記内筒に差し込まれる前記電子キーに押圧されて前記内筒の回転を阻止するロック位置から前記内筒の回転を許容するロック解除位置へ変位するリリースカムを有する
ことを特徴とする錠前ユニット。
【発明の詳細な説明】
【技術分野】
【０００１】
本発明は、ＩＣチップデータを記憶する電子キーと、電子キーを回転させることにより施錠と解錠を行う錠前と、錠前に差し込まれた電子キーの回転を阻止する回転阻止機構と、ＩＣチップデータを読み取るＩＣチップデータ読み取り手段と、ＩＣチップデータ読み取り手段が読み取ったＩＣチップデータに基づいて正当な権限を認証した場合にのみ、回転阻止手段に電子キーの回転阻止状態を解除させる回転阻止機構制御手段と、を備える錠前ユニットが、収納ボックス毎に設けられた保管庫、及び、錠前ユニットに関する。
【背景技術】
【０００２】
近年、個人情報保護法により、個人情報の取扱いに責任が課されるようになった。そのため、個人情報を取り扱う企業は、個人情報を記憶したファイル、ＣＤ−ＲＯＭ、ＵＳＢ、パソコンなどの媒体が不正に持ち出され、情報が漏洩、紛失、毀損することを防止しなければならない。
【０００３】
ファイルやＣＤ−ＲＯＭ等の保管物が不正に持ち出されることを防止するために、これらの保管物は、錠により開閉制限を加えた保管庫に保管される。機械式の錠前は、第三者が鍵を複製して、保管物を不正に持ち出すリスクが高い。このため、本人認証により、当該使用者が、保管物を使用する正当な権限のある者であることを確認した場合にのみ、錠前の開錠を許可することが、従来より提案されている。本人認証の手段としては、暗証番号による認証、ＩＣカードによる認証、指紋や顔などの生体認証などが考えられる。
【０００４】
暗証番号による認証は、正当な使用者が暗証番号を入力する際に暗証番号を盗み見て、第三者が本人になりすまして保管庫を不正に開閉する恐れがある。
ＩＣカードによる認証は、ＩＣチップに記憶されるＩＣチップデータに基づいて本人認証を行うため、第三者にＩＣチップデータを盗まれるリスクが低い。しかし、鍵とＩＣカードとを所持しなければならず、開錠操作や鍵・ＩＣカードの管理が煩雑である。
さらに、生体認証は、自分の体で本人認証するため、鍵だけ所持すれば良い。しかし、生体認証装置は、高価であり、保管庫の値段を釣り上げる要因になる。特に、企業の取り扱う情報量は膨大で、セキュリティの高い保管庫に買い換える場合、多大な費用を要すると、交換したくてもできない企業が出てくる。
【０００５】
図１５は、従来の錠前ユニット１００を示す図である。
そこで、例えば、図１５に示すように、特許文献１に記載する錠前ユニット１００は、電子キー１０１が接触式ＩＣチップ１０２を内蔵する。錠前ユニット１００は、錠前１０４に電子キー１０１を差し込んだときに、ＩＣチップ１０２の端子１０３に接触してＩＣチップ１０２にデータを読み書きする検出端子１０５を備える。錠前１０４は、ソレノイド１０６の作動軸１０７に係合し、回転を阻止されている。
【０００６】
錠前ユニット１００の制御部１０８は、検出端子１０５が読み取ったＩＣチップ１０２のデータに基づいて本人認証を行い、正当権限を認証した場合にのみ、ソレノイド１０６に通電する。ソレノイド１０６は、通電によって励磁され、作動軸１０７を図示しない圧縮バネに抗して吸引し、錠前１０４の回転阻止状態を解除する。そして、錠前ユニット１００は、電子キー１０１のＩＣチップ１０２に利用履歴を書き込む。
【０００７】
このような錠前ユニット１００は、第三者に本人認証用の識別番号を盗まれることなく、電子キー１０１だけで本人認証と利用履歴の記録を行うことができるため、セキュリティが高く、使い勝手も良い。また、錠前ユニット１００は、安価なソレノイド１０６を利用してコストアップを抑制される。保管庫は、この錠前ユニット１００を適用することにより、安価にセキュリティ性能を付加することができる。
【０００８】
【特許文献１】特開平１０−２５２３２７号公報
【発明の開示】
【発明が解決しようとする課題】
【０００９】
しかしながら、特許文献１記載の錠前ユニット１００は、保管庫に使用される場合、設置面積の制限やコストダウンのために、小型のソレノイド１０６を使用する。小型のソレノイド１０６は、通電時の吸引力が小さいため、図示しない圧縮ばねが弱く設定されている。このため、錠前ユニット１００は、外部から振動を与えられると、図示しない圧縮ばねの付勢力に抗して作動軸１０７が動き、錠前１０４から外れることがあった。よって、例えば、第三者は、保管庫を叩いてソレノイドに振動を与えることにより作動軸１０７を錠前１０４から外し、その外れた隙に錠前１０４を回転させれば、保管庫を解錠して、保管物を不正に持ち出すことが可能であった。
【００１０】
また、錠前ユニット１００は、上記のようにソレノイド１０６の図示しない圧縮ばねが弱いため、錠前１０４に工具を差し込んで強引に回転させることにより、図示しない圧縮バネに抗して作動軸１０７を押し上げて、錠前１０４の回転阻止状態を解除することが可能であった。
【００１１】
そこで、本発明は、上記問題点を解決するためになされたものであり、高いセキュリティを安価に確保できる保管庫及び錠前ユニットを提供することを目的とする。
【課題を解決するための手段】
【００１２】
上記目的を達成するために、本発明に係る保管庫及び錠前ユニットは以下の構成を有する。
（１）１又は２以上の収納ボックスと、複数の端子を備える接触式ＩＣチップを内蔵する電子キーと、前記収納ボックスに取り付けられ、前記電子キーが差し込まれる内筒を外筒に対して回転させることにより前記収納ボックスの施錠と解錠を行う錠前と、前記内筒に係合して前記内筒の回転を阻止する作動軸を電気的に作動させる回転阻止手段と、前記複数の端子に接触して前記ＩＣチップのＩＣチップデータを読み取り、前記ＩＣチップデータに基づいて正当な権限を認証できた場合に前記回転阻止手段に通電して前記作動軸を前記内筒の回転を阻止する回転阻止位置から前記内筒の回転を許容する回転許容位置へ移動させる制御手段と、を有する保管庫において、前記内筒に配置され、前記内筒に差し込まれる前記電子キーに押圧されて前記内筒の回転を阻止するロック位置から前記内筒の回転を許容するロック解除位置へ変位するリリースカムを有する。
【００１３】
（２）（１）に記載の発明において、前記リリースカムを前記ロック位置へ向かって付勢するリリースばねを有し、前記リリースカムは、前記内筒の前記電子キーを差し込まれる挿入孔に揺動可能に配置され、前記挿入孔に前記電子キーを差し込んでいない場合には、前記リリースばねに付勢されて前記ロック位置に配置され、前記挿入孔に前記電子キーを差し込んだ場合に、前記リリースばねを圧縮して揺動し、前記ロック解除位置に配置される。
【００１４】
（３）（１）又は（２）に記載の発明において、前記回転阻止手段が、通電時に前記作動軸を吸引して前記回転許容位置へ移動させるソレノイドであって、前記回転許容位置に配置された前記作動軸を保持するストッパ部材を有し、前記制御手段は、前記ストッパ部材が前記作動軸を前記回転許容位置で保持した後に、前記ソレノイドへの通電を停止する。
【００１５】
（４）（１）乃至（４）の何れか一つに記載の発明において、前記錠前ユニットは電池を有する。
【００１６】
（５）（４）に記載の発明において、前記電池と並列にコンデンサを設け、前記ソレノイドに通電しない場合に前記コンデンサにチャージを行い、前記ソレノイドに通電する場合に、前記電池の電圧と前記コンデンサの電圧とを加算して前記ソレノイドに印加する。
【００１７】
（６）保管庫の収納ボックスに取り付けられて前記収納ボックスの開閉を許可するものであって、複数の端子を備える接触式ＩＣチップを内蔵する電子キーと、前記電子キーが差し込まれる内筒を外筒に対して回転させることにより前記収納ボックスの施錠と解錠を行う錠前と、前記内筒に係合して前記内筒の回転を阻止する作動軸を電気的に作動させる回転阻止手段と、前記複数の端子に接触して前記ＩＣチップのＩＣチップデータを読み取り、前記ＩＣチップデータに基づいて正当な権限を認証できた場合に前記回転阻止手段に通電して前記作動軸を前記内筒の回転を阻止する回転阻止位置から前記内筒の回転を許容する回転許容位置へ移動させる制御手段と、を有する錠前ユニットにおいて、前記内筒に配置され、前記内筒に差し込まれる前記電子キーに押圧されて前記内筒の回転を阻止するロック位置から前記内筒の回転を許容するロック解除位置へ変位するリリースカムを有する。
【発明の効果】
【００１８】
本発明の保管庫は、１又は２以上の収納ボックスと、複数の端子を備える接触式ＩＣチップを内蔵する電子キーと、収納ボックスに取り付けられ、電子キーが差し込まれる内筒を外筒に対して回転させることにより収納ボックスの施錠と解錠を行う錠前と、内筒に係合して内筒の回転を阻止する作動軸を電気的に作動させる回転阻止手段と、複数の端子に接触してＩＣチップのＩＣチップデータを読み取り、ＩＣチップデータに基づいて正当な権限を認証できた場合に回転阻止手段に通電して作動軸を内筒の回転を阻止する回転阻止位置から内筒の回転を許容する回転許容位置へ移動させる制御手段と、を有する保管庫において、内筒に配置され、内筒に差し込まれる電子キーに押圧されて内筒の回転を阻止するロック位置から内筒の回転を許容するロック解除位置へ変位するリリースカムを有する。
【００１９】
また、本発明の錠前ユニットは、保管庫の収納ボックスに取り付けられて収納ボックスの開閉を許可するものであって、複数の端子を備える接触式ＩＣチップを内蔵する電子キーと、電子キーが差し込まれる内筒を外筒に対して回転させることにより収納ボックスの施錠と解錠を行う錠前と、内筒に係合して内筒の回転を阻止する作動軸を電気的に作動させる回転阻止手段と、複数の端子に接触してＩＣチップのＩＣチップデータを読み取り、ＩＣチップデータに基づいて正当な権限を認証できた場合に回転阻止手段に通電して作動軸を内筒の回転を阻止する回転阻止位置から内筒の回転を許容する回転許容位置へ移動させる制御手段と、を有する錠前ユニットにおいて、内筒に配置され、内筒に差し込まれる電子キーに押圧されて内筒の回転を阻止するロック位置から内筒の回転を許容するロック解除位置へ変位するリリースカムを有する。
【００２０】
このような保管庫及び錠前ユニットは、回転阻止手段とリリースカムにより内筒を２重にロックする。そのため、保管庫が外部から振動を与えられ、作動軸が動く場合でも、リリースカムがロック解除位置に配置されて内筒の回転を阻止する。よって、例えば、第三者は、保管庫を叩いて回転阻止手段に振動を与えることにより作動軸を内筒から外しても、錠前を開錠して保管庫を解錠して、保管物を不正に持ち出すことができない。また、例えば、作動軸を工具などで回転阻止位置から回転許容位置へ移動させても、リリースカムが内筒の回転を阻止しているので、錠前を不正に解錠できない。よって、本発明の保管庫及び錠前ユニットによれば、高いセキュリティを安価に確保できる。
【００２１】
また、本発明の保管庫は、リリースカムをロック位置へ向かって付勢するリリースばねを有し、リリースカムは、内筒の電子キーを差し込まれる挿入孔に揺動可能に配置され、挿入孔に電子キーを差し込んでいない場合には、リリースばねに付勢されてロック位置に配置され、挿入孔に電子キーを差し込んだ場合に、リリースばねを圧縮して揺動し、ロック解除位置に配置される。よって、本発明の保管庫は、振動によってリリースカムがロック位置から移動しないようにリリースばねを強くしても、電子キーを挿入孔に差し込む力を利用してリリースカムをロック位置からロック解除位置へ簡単に移動させることができる。
【００２２】
本発明の保管庫は、回転阻止手段が、通電時に作動軸を吸引して回転許容位置へ移動させるソレノイドであって、回転許容位置に配置された作動軸を保持するストッパ部材を有し、制御手段は、ストッパ部材が作動軸を回転許容位置で保持した後に、ソレノイドへの通電を停止する。よって、本発明の保管庫によれば、ソレノイドへの通電時間を短くしても、作動軸を回転許容位置で保持し続けることができ、消費電力を抑制できる。
【００２３】
本発明の保管庫は、錠前ユニットが電池を有するので、ネットワークや電気配線等をしなくても、錠前ユニットをスタンドアローンとして保管庫に取り付けることができ、工事費用を抑えることができる。
【００２４】
本発明の保管庫は、錠前ユニットが、電池と並列にコンデンサを設け、ソレノイドに通電しない場合にコンデンサにチャージを行い、ソレノイドに通電する場合に、電池の電圧とコンデンサの電圧とを加算してソレノイドに印加する。そのため、ソレノイドへの通電時には、電池による電圧の約２倍の電圧をソレノイドに印加することができる。これにより、本発明の保管庫は、電池の使用本数を減らしてランニングコストを抑制できる。また、本発明の保管庫は、ソレノイドの圧縮ばね力を増して、ソレノイドが振動によって内筒を回転可能にする不具合を防止できるので、振動に対するセキュリティを向上させることができる。
【発明を実施するための最良の形態】
【００２５】
次に、本発明に係る保管庫及び錠前ユニットの一実施形態について図面を参照して説明する。
【００２６】
（第１実施形態）
＜保管庫の構成＞
図１は、本発明の第１実施形態に係る保管庫１，２とデスク３の外観斜視図である。
例えば、オフィスには、保管庫１，２やデスク（保管庫の一例）３などが配置されている。保管庫１は、開閉扉５Ａ，５Ｂにより開閉される収納ボックス４Ａ，４Ｂを備える。また、保管庫２は、開閉扉７により開閉される収納ボックス６と、引き出し式の収納ボックス８Ａ，８Ｂ，８Ｃとを備える。更に、デスク３は、引き出し式の収納ボックス９Ａ，９Ｂ，９Ｃ，９Ｄ，９Ｅを備える。各収納ボックス４Ａ，４Ｂ，６，８Ａ〜８Ｃ，９Ａ〜９Ｅには、ファイルやＣＤ−ＲＯＭ、ＵＳＢメモリ、ノート型パソコンなどの各種保管物が保管されている。
【００２７】
収納ボックス４Ａ，４Ｂ，６，８Ａ〜８Ｃ，９Ａ〜９Ｅには、錠前ユニット２０Ａ〜２０Ｋがそれぞれ取り付けられ、正当な権限を有する者のみが収納ボックス４Ａ，４Ｂ，６，８Ａ〜８Ｃ，９Ａ〜９Ｅを開閉できるようにしている。錠前ユニット２０Ａ〜２０Ｋは、同一の構成であるので、以下では、錠前ユニット２０Ａについて説明する。
【００２８】
図２は、収納ボックス４Ａの開閉扉５Ａに取り付けられた錠前ユニット２０Ａの側面図である。図３は、収納ボックス４Ａに取り付けられた錠前ユニット２０Ａを上方から見た図である。
図３に示すように、開閉扉５Ａは、第１扉１１と第２扉１２とを備える。図２及び図３に示すように、第１扉１１の内側には、錠前ユニット２０Ａが絶縁カバー２６を介してボルト１３でネジ止めされている。錠前ユニット２０Ａは、錠前２１が第１扉１１に形成した孔１１ａから外部に露出している。
【００２９】
図３に示すように、錠前ユニット２０Ａには、ロックレバー２２が回動可能に保持されている。ロックレバー２２は、錠前２１の回転に従って回動する。収納ボックス４Ａは、ロックレバー２２が第２扉１２の係合溝１２ａに係合している場合に施錠され、開閉扉５Ａの開閉を制限される一方、ロックレバー２２が係合溝１２ａから外れた場合に開錠され、開閉扉５Ａの開閉を許可される。
【００３０】
錠前ユニット２０Ａの側面には、電池６２を収納する電池ボックス６５が取り付けられている。電池ボックス６５には、錠前ユニット２０Ａの動作を制御する制御手段６１が内設されている。制御手段６１は、電子キー５１の接触式ＩＣチップ５２に記憶されているデータに基づいて権限認証を行い、正当な権限を認証できた場合に限り、錠前２１に差し込んだ電子キー５１の回転を許容するようになっている。よって、収納ボックス４Ａは、正当な権限を有する者のみが錠前２１に差し込んだ電子キー５１を回転させて、開閉扉５Ａを開閉することができる。尚、錠前ユニット２０Ａが電池６２で駆動するため、ネットワークや電線などの配線を行わずに錠前ユニット２０Ａを保管庫１に安価に取り付けることができる。
【００３１】
＜電子キーの構成＞
図２及び図３に示す電子キー５１は、収納ボックス４Ａ，４Ｂ，６，８Ａ〜８Ｃ，９Ａ〜９Ｅに取り付けた錠前２０Ａ〜２０Ｋに共通して使用できるように、他の電子キーと同一形状をなす。電子キー５１は、一般的な鍵の形状をしている。
【００３２】
図２に示すように、ＩＣユニット５７は、第１端子部材（複数の端子の一例）５３と第２端子部材（複数の端子の一例）５４を備える接触式ＩＣチップ５２を内蔵している。第２端子部材５４は、ＩＣユニット５７から外部に突出している。第２端子部材５４は、錠前２１を回転させられるように、剛性を有する金属板で構成されている。第２端子部材５４は、一対の係止部５４ａ，５４ａが逆向きに張り出すように設けられている。
【００３３】
図３に示すように、第１端子部材５３は、第２端子部材５４の両側に絶縁した状態で貼り付けるようにして設けられている。図２に示すように、ＩＣユニット５７は、第２端子部材５４と反対側の後端部に拡散板５８が取り付けられ、ＩＣユニット５７内で発光するＬＥＤ５５の光を拡散させて、電子キー５１の両側面と後端部からＬＥＤ５５の発光状態を見やすくしている。
【００３４】
図４は、電子キー５１の電気回路図である。
接触式ＩＣチップ５２は、第１端子部材５３と第２端子部材５４との間に配置されている。ＬＥＤ５５は、ＩＣチップ５２と並列に設けられている。ＩＣチップ５２とＬＥＤ５５の両側には、ダイオードＤ１，Ｄ２と抵抗Ｒ１，Ｒ２が配置され、ＩＣチップ５２とＬＥＤ５５に流れる電流の向きを反対にしている。このため、電子キー５１は、第１及び第２端子部材５３，５４に電流を交互に供給して第１及び第２端子部材５３，５４の極性を変更することにより、ＩＣチップ５２とＬＥＤ５５に交互に電流が流れ、ＩＣチップ５２のデータ読み取りとＬＥＤ５５の点灯が交互に行われる。
【００３５】
ＩＣチップ５２は、周知のようにＣＰＵやＲＯＭ、ＲＡＭなどを備える。ＩＣチップ５２には、当該ＩＣチップ５２に付与された固有識別番号が書き換え不能に記憶されている。電子キー５１が、個人に付与された個人キーである場合には、この固有識別番号を当該電子キー５１の所有者を特定する個人識別情報として用いる。一方、電子キー５１が、複数人が共同して使用する共通キーである場合には、上記固有識別情報では個人を特定できない。この場合、ＩＣチップ５２は、例えば電子キー５１を鍵管理ボックスから取り出す場合に、個人に付与された個人識別情報を記憶する。
【００３６】
また、ＩＣチップ５２は、収納ボックス４Ａ，４Ｂ，６，８Ａ〜８Ｃ，９Ａ〜９Ｅのうち使用者が開閉権限を有する収納ボックスの扉ＩＤを記憶し、電子キー１本で複数の収納ボックスを開閉できるようにしている。
【００３７】
更に、ＩＣチップ５２は、収納ボックスを開閉した時間や開閉された収納ボックスの扉ＩＤなどの利用履歴が書き込まれる。電子キー５１は、電子キーを一括管理する鍵管理ボックスに収納されて管理される。ＩＣチップ５２は、電子キー５１が鍵管理ボックスに返却されたときに、書き込まれた利用履歴を個人識別情報に関連付けて鍵管理ボックスに出力する。このため、鍵管理ボックスでは、各保管庫１〜３にネットワークで接続されていなくても、誰がどの収納ボックスをいつ使用したかの利用履歴を一括管理することが可能である。
【００３８】
＜錠前ユニットの構成＞
図５は、図２に示す錠前ユニット２０Ａを正面から見た図である。図６は、錠前ユニット２０Ａの中央縦断面図であって、電子キー非挿入状態を示す。図７は、錠前ユニット２０Ａの中央縦断面図であって、電子キー挿入状態を示す。図８は、図５に示す錠前ユニットの分解斜視図である。ただし、図８では、絶縁カバー２６を省略して記載している。
図５〜図８に示すように、錠前ユニット２０Ａは、錠前２１が、キーガイドカバー３４と絶縁スペーサ４４とコンタクトホルダ３５とコンタクトピース１８と付勢ばね４１とホルダカバー３６とレバーシャフト３７とで構成される内筒と、その内筒を回転可能に保持するケース（外筒の一例）２４とで構成されている。錠前２１は、ソレノイド２７とリリースカム４６によりレバーシャフト３７が２重にロックされ、ケース２４に対して回転することを阻止されている。
【００３９】
図６及び図７に示すように、錠前ユニット２０Ａは、剛性のある金属を材質とするケース２４とカバー２５により外観を構成されている。ソレノイド２７は、作動軸２８を下向きに突出させるように、ケース２４に固定ねじ３１で固定されている。作動軸２８には、Ｅリング３０が装着されている。Ｅリング３０とソレノイド２７との間には、圧縮バネ２９が縮設され、作動軸２８をソレノイド２７から突出する方向へ常時付勢している。ソレノイド２７に接続される配線３２は、ケース２４とカバー２５との間から外部に取り出され、制御手段６１（図２参照）に接続されている。ケース２４は、第１扉１１（図２参照）に接触する正面側に絶縁カバー２６が装着され、電子キー５１のグランド側への電気的影響を防いでいる。
【００４０】
図６〜図８に示すように、ケース２４には、取付開口部２４ｂが正面側から背面側へ貫通して形成され、キーガイドカバー３４と絶縁スペーサ４４とコンタクトホルダ３５とコンタクトピース１８と付勢ばね４１とホルダカバー３６とレバーシャフト３７が装填されている。これらの部材３４〜３７，４４は、ケース２４にカバー２５をカバーねじ１６でネジ止めすることにより、一体的に回転するようにケース２４に保持されている。
【００４１】
図６〜図８に示すキーガイドカバー３４は、剛性を確保するために、ＳＵＳなどの金属を材質としている。キーガイドカバー３４は、一端を閉鎖された円筒形状をなす。キーガイドカバー３４は、絶縁スペーサ４４を介してコンタクトホルダ３５の正面側端部に被せるように装着される。図８に示すように、キーガイドカバー３４の端面には、鍵溝３４ａが形成されている。キーガイドカバー３４は、開口端部に設けた係止突起３４ｂをコンタクトホルダ３５に設けた係止孔３５ｇにそれぞれ挿入して固定され、鍵溝３４ａがコンタクトホルダ３５の鍵溝３５ｃに位置合わせされている。
【００４２】
図８に示すコンタクトホルダ３５は、絶縁性を確保するために、ＰＯＭなどの樹脂を材質とする。コンタクトホルダ３５は、略円柱形状をなす。コンタクトホルダ３５は、鍵溝３５ｃの両側に、凹部３５ｄ，３５ｅが設けられている。
【００４３】
図６及び図７に示すように、コンタクトホルダ３５は、鍵溝３５ｃの周りに、コンタクトピース（データ読み取り手段の一例）１８を保持するためのコンタクトピース保持溝３５ｉが形成されている。コンタクトピース保持溝３５ｉは、凹部３５ｄ，３５ｅに連通するように半円状に形成されている。
【００４４】
図８に示すように、コンタクトピース１８は、導電性を有する金属を材質とする。コンタクトピース１８には、一対の接触部３９，３９が設けられている。コンタクトピース１８は、電子キー５１の両側に設けた第１端子部材５３に接触部３９，３９を接触させるために、接触部３９，３９をコンタクトホルダ３５の凹部３５ｄ，３５ｅに配置するようにコンタクトピース保持溝３５ｉに取り付けられる。接触部３９と凹部３５ｄ，３５ｅの間には、付勢ばね４１が配置されている。
【００４５】
図６〜図８に示すように、コンタクトホルダ３５の背面側には、コンタクトピース１８をキーガイドカバー３４側へ押圧して保持するように、ホルダカバー３６がはめ込んで取り付けられている。ホルダカバー３６は、絶縁性を確保するために、樹脂などの絶縁材料により設けられている。
【００４６】
図６及び図７に示すように、コンタクトピース１８とケース２４は、配線４３を介して制御手段６１（図２参照）に電気接続されている。コンタクトピース１８は、絶縁体である絶縁スペーサ４４とコンタクトホルダ３５とホルダカバー３６で覆われることにより、ケース２４と電気的に絶縁状態が確保されている。そのため、第２端子部材５４からケース２４へ電流が流れる極性と、第１端子部材５３からコンタクトピース１８に流れる電気的な極性とが分けられている。よって、電子キー５１は、配線４３を介して制御手段６１に導通し、扉ＩＤや個人識別情報の読み取りとＬＥＤ５５の発光とを制御される。尚、配線４３は、図６〜図８に示すように、ケース２４にプレート固定ネジ１７で固定されたコード押さえプレート３３に押さえられている。
【００４７】
尚、コンタクトホルダ３５とキーガイドカバー３４との間には、絶縁スペーサ４４が配置され、コンタクトピース１８に流れる電流がキーガイドカバー３４へ流れることを防止している。
【００４８】
図６及び図７、図８に示すように、ホルダカバー３６は、レバーシャフト３７側の端面に係合段差部３６ｂが設けられている。係合段差部３６ｂは、レバーシャフト３７の端面に設けられた係合突部３７ｂに係合し、レバーシャフト３７と一体的に回転するようにされている。
【００４９】
図６及び図７に示すレバーシャフト３７は、導電性及び剛性のある金属を材質とする。レバーシャフト３７は、略円柱状の外周面に、クリックボール４８を収納するための収納孔３７ｅが形成されている。クリックボール４８は、収納孔３７ｅに内設されたクリックばね４９によって収納孔３７ｅから押し出される方向に常時付勢されている。ケース２４には、クリックボール４８が嵌合するニュートラル孔部２４ｇが設けられている。よって、レバーシャフト３７は、クリックボール４８をニュートラル孔部２４ｇに嵌合させることにより初期位置が規定される。レバーシャフト３７には、挿入孔３７ａが軸線方向に沿って形成されている。
【００５０】
図６及び図７に示すように、鍵溝３４ａ，４４ａ，３５ｃ，３６ａと挿入孔３７ａは、電子キー５１を抜き差しできるように位置合わせされ、鍵穴３８を構成する。
【００５１】
尚、図５〜図８に示すように、ケース２４の正面には、キーガイドカバー３４が配置されるボス部２４ａが設けられている。ボス部２４ａの内周面には、鍵穴３８に電子キー５１を差し込む場合に、電子キー５１の一方の係止部５４ａが挿入される鍵溝２４ｅが、１箇所に設けられている。従って、電子キー５１は、一般的なシリンダ錠用の鍵と同様に鍵穴３８に差し込んで回転させると、係止部５４ａが鍵溝２４ｅからずれてボス部２４ａの内壁に係止され、鍵穴３８から抜けなくなる。
【００５２】
レバーシャフト３７の後端部は、カバー２５の貫通孔２５ａに回転可能に挿通され、外部に突出している。レバーシャフト３７の後端部には、ロックレバー２２が回転不能に嵌め合わされ、ボルト２３で固定されている。レバーシャフト３７とロックレバー２２との間には、フランジ１９が配設され、ケース２４からロックレバー２２への導通を防いでいる。
【００５３】
尚、レバーシャフト３７の外周面には、係止片３７ｆが突設されている。係止片３７ｆは、コード押さえプレート３３とカバー２５との間に移動可能に配置されている。係止片３７ｆは、ケース２４の内壁に設けられた図示しない凸部に係止され、レバーシャフト３７を初期位置とその初期位置から例えば９０度ずれた解錠位置との間で回転させるようにしている。
【００５４】
＜回転止め機構の構成＞
図６及び図７に示すレバーシャフト３７は、上述したように、ソレノイド２７とリリースカム４６により、ケース２４に対して回転することを阻止されている。
【００５５】
レバーシャフト３７の挿通孔３７ａには、電子キー５１を差し込まれる差込経路に対して直交するように、金属製のリリースカム軸４５が架設されている。リリースカム軸４５には、リリースカム４６が揺動自在に保持されている。リリースカム４６は、導電性や剛性を確保するために、ＳＵＳなどの金属を材質とする。リリースカム４６は、板状のものであって、リリースカム軸４５から異なる方向へ延びるように第１カム片４６ａと第２カム片４６ｂと第３カム片４６ｃとが設けられている。
【００５６】
レバーシャフト３７には、リリースカム軸４５を挟んで対向する位置に、第１貫通孔３７ｃと第２貫通孔３７ｄとが形成されている。第１貫通孔３７ｃには、リリースカム４６の第１カム片４６ａが配置される。第１貫通孔３７ｃは、リリースカム４６が揺動できるように、リリースカム４６の厚さに対応する溝幅で電子キー５１の差込経路に沿って形成されている。一方、第２貫通孔３７ｄは、リリースカム４６の厚さに対応する溝幅で、電子キー５１の差込経路に沿って長く形成され、リリースカム４６の第２及び第３カム片４６ｂ，４６ｃが配置される。第２貫通孔３７ｄは、レバーシャフト３７が初期位置に配置されている場合に、ケース２４に形成された係合孔２４ｆに重なるように形成されている。
【００５７】
レバーシャフト３７は、第１貫通孔３７ｃの外側に、リリースばね４７を保持するためのばね収納孔３７ｇが形成されている。リリースばね４７は、ばね収納孔３７ｇの内壁とリリースカム４６の第１カム片４６ａとの間に縮設され、リリースカム４６の第１カム片４６ａをカバー２５側へ常時付勢している。リリースカム４６は、レバーシャフト３７が初期位置に配置されて挿入孔３７ａに電子キー５１を差し込まれていない場合には、第１カム片４６ａを第１貫通孔３７ｃの内壁に突き当てるように揺動する。このとき、リリースカム４６の第３カム片４６ｃは、ケース２４の係合孔２４ｆに係合し、レバーシャフト３７がケース２４に対して回転することを阻止する。そして、リリースカム４６の第２カム片４６ｂは、第２貫通孔３７ｄから挿入孔３７ａ内に突出する。
【００５８】
また、レバーシャフト３７には、ソレノイド２７の作動軸２８が嵌合する嵌合凹部３７ｈが形成されている。レバーシャフト３７は、初期位置に配置されている場合に、嵌合凹部３７ｈが作動軸２８に位置合わせされる。ソレノイド２７は、非通電時に作動軸２８を圧縮ばね２９により突出させて嵌合凹部３７ｈに嵌合させることにより、レバーシャフト３７がケース２４に対して回転することを阻止する。
【００５９】
ケース２４は、ソレノイド２７が通電により作動軸２８を吸引した後に、作動軸２８の吸引位置を維持するためのストッパ５０を備える。ストッパ５０は、作動軸２８の進退方向に対して直交する方向にスライドできるように、ケース２４に保持されている。ストッパ５０は、スライド方向に沿って作動軸２８が挿通される挿通溝５０ａを形成されている。挿通溝５０ａは、Ｅリング３０の直径より小さい溝幅で形成され、作動軸２８がＥリング３０をストッパ部材５０に係止されて下降位置を規定されるようになっている。
【００６０】
ストッパ部材５０は、コード押さえプレート３３との間にストッパばね１５が縮設されている。ストッパばね１５は、リリースばね４７より弾性力が小さくされている。そのため、鍵穴３８に電子キー５１を差し込んでおらず、リリースカム４６がリリースばね４７の弾性力で揺動している場合には、ストッパ部材５０は、ストッパばね１５の付勢力に抗して第１カム片４６ａによってカバー２５側へ押圧され、作動軸２８のＥリング３０を係止する。一方、リリースカム４６がリリースばね４７を圧縮させながら揺動すると、ストッパばね１５が伸張してストッパ部材５０を作動軸２８側へ押し出す。作動軸２８は、Ｅリング３０より先端の外周面に環状係止溝２８ａが形成されている。ストッパ部材５０は、作動軸２８側へスライドすると、環状係止溝２８ａに係合して、作動軸２８を吸引位置で保持する。
【００６１】
＜制御手段の電気的構成＞
図９は、図５に記載する錠前ユニットが備える制御手段６１の電気回路図であって、チャージ状態を示す。
制御手段６１は、直列接続された３本の電池６２を電源として駆動する。電池６２は、ソレノイド２７に電力を供給する電力供給ラインＬ１１に接続されている。電力供給ラインＬ１１は、電池６２をダイオードＤ１１とソレノイド２７と第１トランジスタＴＲ１１とを介してグランドに接続されている。
【００６２】
第１トランジスタＴＲ１１のベースには、電力供給制御ラインＬ１４を介してデータ読み取り基板６３が接続されている。データ読み取り基板６３は、電子キー５１の第１及び第２端子部材５３，５４に接触する接触部３９やレバーシャフト３７、リリースカム４６などに接続すると共に、権限認証用メモリ６４に接続している。データ読み取り基板６３は、接触部３９やレバーシャフト３７、リリースカム４６などを介してＩＣチップ５２から読み取ったデータに基づいて正当な権限を認証した場合に、ソレノイド制御信号をトランジスタＴＲ１１に出力し、トランジスタＴＲ１１に電流を流させる。ここで、権限認証用メモリ６４には、収納ボックス４Ａを開閉する権限を有する者を識別するための情報と、収納ボックス４Ａを識別するための扉ＩＤとが記憶されている。
【００６３】
電力供給制御ラインＬ１４上の接点Ｐ１７と、電力供給ラインＬ１１の第１トランジスタＴＲ１１の下流側に設けた接点Ｐ１８との間には、抵抗Ｒ１３が配置され、第１トランジスタＴＲ１１に供給する電圧を調整している。よって、第１トランジスタＴＲ１１は、ベースにソレノイド制御信号を付与されることによりエミッタとコレクタとが導通してソレノイド２７に電流が流れる。
【００６４】
電力供給ラインＬ１１は、電池６２とダイオードＤ１１との間の接点Ｐ１１と、ダイアオードＤ１１とソレノイド２７との間の接点Ｐ１２が、チャージラインＬ１２により接続されている。チャージラインＬ１２には、第２トランジスタＴＲ１２とコンデンサＣ１１とが配置されている。第２トランジスタＴＲ１２とコンデンサＣ１１との間には、抵抗Ｒ１１が配置され、コンデンサＣ１１に供給する電圧を調整している。
【００６５】
また、電力供給ラインＬ１１は、接点Ｐ１１とダイオードＤ１１との間の接点Ｐ１４と、ソレノイド２７と第１トランジスタＴＲ１１との間の接点Ｐ１６が、チャージ制御ラインＬ１３を介して接続されている。チャージ制御ラインＬ１３は、接点Ｐ１５が第２トランジスタＴＲ１２のベースに接続されている。接点Ｐ１４，接点Ｐ１５の間には、抵抗Ｒ１２が配置され、第２トランジスタＴＲ１２のベースに供給する電圧を調整している。
【００６６】
＜動作説明＞
次に、上記保管庫１と錠前ユニット２０Ａの動作について説明する。
保管庫１の収納ボックス４Ａに設けた錠前ユニット２０Ａは、電子キー５１を鍵穴３８に差し込まれていない状態では、図６に示すように、レバーシャフト３７がクリックボール４３をニュートラル孔部２４ｇに嵌合させて初期位置に配置されている。そのため、鍵穴３８は、ケース２４の鍵溝２４ｅに位置合わせされている。
【００６７】
また、リリースカム４６がリリースばね４７に付勢され、第３カム片４６ｃをケース２４の係合孔２４ｆに係合させ、レバーシャフト３７の回転を阻止している。これと同時に、ソレノイド２７は、非通電にされて作動軸２８をレバーシャフト３７の嵌合凹部３７ｈに嵌合させ、レバーシャフト３７の回転を阻止している。つまり、レバーシャフト３７は、リリースカム４６とソレノイド２７とにより２重にロックされている。
【００６８】
このように電子キー５１を錠前ユニット２０Ａに差し込んでいない状態では、図９に示す制御手段６１は、接触部３９やレバーシャフト３７、リリースカム４６などに電流が流れず、データ読み取り基板６３がデータを読み取らない。そのため、データ読み取り基板６３はソレノイド制御信号をトランジスタＴＲ１１に出力しない。この場合、ＮＰＮ型のトランジスタＴＲ１１はベース電圧が低く、ＯＦＦされる。そして、トランジスタＴＲ１１に接続するＰＮＰ型のトランジスタＴＲ１２は、ベース電圧が高くなり、ＯＦＦされる。
【００６９】
トランジスタＴＲ１１とＴＲ１２がともにＯＦＦである場合には、電池６２より、ダイオードＤ１１、コンデンサＣ１１、抵抗Ｒ１１の経路で電流が流れ、コンデンサＣ１１に充電が行われる。このとき、コンデンサＣ１１は電池６２と並列に接続されているのと等価である。コンデンサＣ１１に充電されると、コンデンサＣ１１の電圧は次第に電池６２と同電位に近づき、電流が流れなくなる。なお、充電時間はコンデンサＣ１１と抵抗Ｒ１１の積に比例する。
【００７０】
ユーザ甲は、図１に示す収納ボックス４Ａからファイルを持ち出す場合には、複数本の鍵を管理する鍵管理ボックスへ行き、電子キー５１を取り出す。鍵管理ボックスには、電子キー５１を差し込むための鍵穴が設けられ、各鍵穴にロック機構を設けて電子キー５１を不正に取り出せないようにされている。鍵管理ボックスは、電子錠が扉に設けられ、カードリーダや暗証番号入力装置、生体認証装置などにより本人認証を行い、正当な権限をした場合にのみ扉の開閉を許可する。ユーザ甲が本人認証を行って電子錠を開錠すると、鍵管理ボックスは、電子キー５１にユーザ甲の個人認証番号とユーザ甲が使用権限を有する収納ボックスの扉ＩＤを電子キー５１のＩＣチップ５２に書き込んだ後、ロック機構を解除する。よって、当該電子キー５１は、ユーザ甲の固有キーとなって鍵管理ボックスから持ち出される。
【００７１】
ユーザ甲は、電子キー５１を持って保管庫１へ行き、図７に示すように、収納ボックス４Ａの錠前ユニット２０Ａに電子キー５１を差し込む。錠前ユニット２０Ａは、ホルダカバー３６が電子キー５１の係止部５４ａに当接して、電子キー５１の差込量を規制する。すると、電子キー５１は、第１端子部材５３がコンタクトピース１８に接触し、第２端子部材５４がレバーシャフト３７とリリースカム４６を介してケース２４に接続して、第１及び第２端子部材５３，５４間に電流が流れるようになる。このとき、接触部３９は、付勢ばね４１の反発力により第１端子部材５３に押し付けられ、機械的に接触不良を防止される。
【００７２】
データ読み取り基板６３は、電子キー５１の第１及び第２端子部材５３，５４に交互に電池６２の電力を供給する。第１端子部材５３に供給された電流は、ＬＥＤ５５から第２端子部材５４へ流れた後、データ読み取り基板６３へ流れる。一方、第２端子部材５４に供給された電流は、接触式ＩＣチップ５２を介して第１端子部材５３へ流れた後、データ読み取り基板６３へ流れる。よって、電子キー５１は、ＩＣチップ５２とＬＥＤ５５に電流が交互に流れ、ＩＣチップ５２のデータ読み取りとＬＥＤ５５の発光とが交互に行われる。そして、ＬＥＤ５５の発光状態は、第１端子部材５３に電流を供給する時間やタイミングによって任意に調整することができる。
【００７３】
例えば、ＬＥＤ５５が数ｍｓｅｃの短い周期で点滅すると、ユーザ甲は、残像効果によりＬＥＤ５５が連続的に発光しているように見える。この場合、ユーザ甲は、錠前ユニット２０ＡがＩＣチップ５２のデータを正常に読み取ったことを確認する。一方、例えば、第１及び第２端子部材５３，５４が油膜等で汚れて接触不良を生じた場合には、第１及び第２端子部材５３，５４間に電流が流れないため、ＬＥＤ５５が消灯したままである。この場合、ユーザ甲は、錠前ユニット２０ＡがＩＣチップ５２のデータを正常に読み取っていないことを確認する。この場合には、ユーザは、電子キー５１を鍵穴３８から抜き取って第１及び第２端子部材５３，５４を清掃し、再度電子キー５１を鍵穴３８に入れ直す。よって、ユーザは、接触不良によるＩＣチップ５２のデータ読み取り不良を防止することができる。更に、例えば、制御手段４１が扉ＩＤや個人識別情報に基づいて権限認証できない場合には、ＬＥＤ５５の消灯時間を正常時よりも長くする。この場合、ユーザ甲は、残像効果によりＬＥＤ５５が点滅しているように見える。よって、ユーザ甲は、ＬＥＤ５５が点滅する様子を見て、権限認証に失敗したことを確認できる。
【００７４】
錠前ユニット２０Ａは、リリースカム４６の第２カム片４６ｂが電子キー５１の第２端子部材５４に押圧されると、リリースカム４６がリリースばね４７を圧縮させながら回動し、第３カム片４６ｃがケース２４の係合孔２４ｆから退避させる。これにより、リリースカム４６がレバーシャフト３７の回転を阻止するロック状態が解除される。リリースばね４７の圧縮に伴い、ストッパ部材５０がストッパばね１５のばね力によって作動軸２８側へ飛び出す。
【００７５】
ソレノイド２７が非通電の場合、作動軸２８が嵌合凹部３７ｈに嵌合して、レバーシャフト３７の回転を阻止している。そのため、甲は、電子キー５１を回転させて収納ボックス４Ａを開錠できない。
【００７６】
図９に示す制御手段６１は、データ読み取り基板６３が、接触部３９やレバーシャフト３７、リリースカム４６などを介してＩＣチップ５２の個人識別情報と扉ＩＤを読み取る。そして、データ読み取り基板６３は、読み取った個人識別情報と扉ＩＤを権限認証用メモリ６４に照合し、ユーザ甲が収納ボックス４Ａを開閉する権限があるか否かを判断する。
【００７７】
具体的には、データ読み取り基板６３は、ＩＣチップ５２から読み取った扉ＩＤが収納ボックス４Ａの扉ＩＤに一致し、且つ、ＩＣチップ５２から読み取った個人識別情報が権限認証用メモリ６４に記憶されているデータに一致する場合に、正当な権限があると判断する。一方、データ読み取り基板６３は、ＩＣチップ５２から読み取った扉ＩＤが収納ボックス４Ａの扉ＩＤに一致せず、又は、ＩＣチップ５２から読み取った個人識別情報が権限認証用メモリ６４に記憶されているデータに一致しない場合には、正当な権限がないと判断する。データ読み取り基板６３は、正当な権限があると判断すると、ソレノイド制御信号をトランジスタＴＲ１１に出力する。
【００７８】
ソレノイド制御信号により、ＮＰＮ型のトランジスタＴＲ１１のベース電圧を高くすると、トランジスタＴＲ１１がＯＮになるので、トランジスタＴＲ１１のコレクタ電圧が下がる。これにより、トランジスタＴＲ１１に接続されたＰＮＰ型ＴＲ１２のベース電圧が下がるため、トランジスタＴＲ１２もＯＮになる。
【００７９】
トランジスタＴＲ１２がＯＮされることにより、電池６２とコンデンサＣ１１は直列に接続されたのと等価になり、ソレノイド２７に向かって電流が流れる。このとき、ソレノイド２７には電池６２の電圧とコンデンサＣ１１の電圧が加算されて印加されるので、電池６２の２倍の電圧が印加されたことになる。
【００８０】
このため、電池６２のみでソレノイド２７を駆動するよりも大きな駆動電流を得ることができる。コンデンサＣ１１に蓄えられた電圧はソレノイド２７に流れて、消費するので、ソレノイド２７の両端電圧は時間とともに減少し、図１０のＡ部に示すような曲線となる。
【００８１】
図１０によれば、ソレノイド２７の作動軸２８を動かすのに必要な電流をコンデンサＣ１１で補っており、一時的に通常よりも大きな電流をソレノイド２７に供給していることがわかる。つまり、ソレノイド通電直後は電池電圧（４．５Ｖ）の２倍の９Ｖがソレノイド２７に一時的に印加される。そのため、作動軸２８が動き始め、その後はコンデンサＣ１１の放電にともない電圧が低下し安定する。
【００８２】
放電直後は、ダイオードＤ１１にコンデンサＣ１１の電圧が印加されるので、逆電圧が印加され、ダイオードＤ１１には電流が流れない。コンデンサＣ１１が放電してしまうと、電位差が無くなり、ダイオードＤ１１に順方向の電流が流れ出し、ソレノイド２７を継続して駆動することができる。よって、電池６２が消耗しても、ソレノイド２７を効率よく駆動することができる。
【００８３】
電流を供給されたソレノイド２７は、励磁されて、作動軸２８を吸引する。これにより、レバーシャフト３７は、作動軸２８が嵌合凹部３７ｈから外れ、回転阻止状態が解除される。作動軸２８は、環状係止溝２８ａがストッパ部材５０に対応する位置までソレノイド２７に吸引されると、ストッパ部材５０がストッパばね１５のばね力によって環状係止溝２８ａに嵌合する。そのため、ソレノイド２７は、通電を停止されても、ストッパ部材５０により作動軸２８の吸引位置が維持される。
【００８４】
その後、ユーザ甲が、電子キー５１を鍵穴３８に差し込んだまま回転させると、キーガイドカバー３４と絶縁カバー４４とコンタクトホルダ３５とホルダカバー３６とレバーシャフト３７とが一体的に回動する。これにより、ロックレバー２２が第２扉１２の係合溝１２ａから外れ、収納ボックス４Ａが開錠される。
【００８５】
ここで、電子キー５１を回転されると、係止部５４ａがケース２４の鍵溝２４ｅからずれ、ボス部２４ａの内壁に係止されるようになる。そのため、ユーザ甲は、電子キー５１を回転させて開錠した状態で電子キー５１をひっぱっても、係止部５４ａがボス部２４ａの内壁に引っ掛かり、電子キー５１を鍵穴３８から抜くことができない。
【００８６】
ユーザ甲は、開閉扉５Ａを開いて目的のファイルを取り出したら、開閉扉５Ａを閉じる。そして、電子キー５１を開錠時と逆方向に回転させる。すると、錠前ユニット２０Ａは、レバーシャフト３７がクリックボール４８をケース２４のニュートラル孔部２４ｇに嵌合させることにより、錠前２１の内筒を初期位置に戻す。これにより、電子キー５１の係止部５４ａがケース２４の鍵溝２４ｅに位置合わせされ、ユーザ甲は、電子キー５１を鍵穴３８から抜くことができるようになる。
【００８７】
電子キー５１を鍵穴３８から抜くと、リリースカム４６がリリースばね４７に押圧されて回動し、図６に示すように、第３カム片４６ｃをケース２４の係合孔２４ｆに嵌合させて、レバーシャフト３７の回転を阻止する。また、リリースばね４７はストッパばね１５より弾性力が大きい。そのため、リリースカム４６は、リリースばね４７に付勢されて回動すると、ストッパばね１５に抗してストッパ部材５０を作動軸２８と反対側（背面側）へ押圧する。これにより、ストッパ部材５０は、背面側へスライドして、作動軸２８の環状係止溝２８ａとの係合を解除する。作動軸２８は、圧縮ばね２９の弾性力と自重によりソレノイド２７から突出し、ケースの嵌合凹部３７ｈにする。これにより、レバーシャフト３７の回転が阻止される。
【００８８】
尚、錠前ユニット２０Ａは、電子キー５１の第１及び第２端子部材５３，５４が接触部３９やレバーシャフト３７、リリースカム４６などに接触しなくなると、データ読み取り基板６３に電流が流れなくなるため、電子キー５１の不存在を検出する。また、錠前ユニット２０Ａは、開閉扉５Ａを閉じたときに、ユーザ甲の個人識別情報や収納ボックス４Ａを開閉した時間などの利用履歴を電子キー５１のＩＣチップ５２に書き込む。また、錠前ユニット２０Ａは、制御手段６１のメモリにも利用履歴を書き込む。ユーザ甲が、電子キー５１を鍵管理ボックスに返却すると、鍵管理ボックスは電子キー５１のＩＣチップ５２から利用履歴を吸い上げて、各種保管庫１〜３や各ユーザの利用履歴を一括管理する。よって、ユーザは、利用履歴が管理されていることから、保管物を短時間で返却する意識が働くようになり、人為的にも保管庫のセキュリティを高めることができる。
【００８９】
＜第１実施形態に係る発明の作用効果＞
第１実施形態の保管庫１は、収納ボックス４Ａ，４Ｂと、第１端子部材５３と第２端子部材５４を備える接触式ＩＣチップ５２を内蔵する電子キー５１と、収納ボックス４Ａ，４Ｂに取り付けられ、電子キー５１が差し込まれる「内筒」の一例であるキーガイドカバー３４と絶縁スペーサ４４とコンタクトホルダ３５とホルダカバー３６とレバーシャフト３７を「外筒」の一例であるケース２４に対して一体的に回転させることにより収納ボックス４Ａ，４Ｂの施錠と解錠を行う錠前２１と、レバーシャフト３７に係合してレバーシャフト３７の回転を阻止する作動軸２８を電気的に作動させる「回転阻止手段」の一例であるソレノイド２７と、第１及び第２端子部材５３，５４に接触してＩＣチップ５２のＩＣチップデータを読み取り、ＩＣチップデータに基づいて正当な権限を認証できた場合にソレノイド２７に通電して作動軸２８をレバーシャフト３７の回転を阻止する回転阻止位置からレバーシャフト３７の回転を許容する回転許容位置へ移動させる制御手段６１と、を有する保管庫１において、レバーシャフト３７に配置され、レバーシャフト３７に差し込まれる電子キー５１に押圧されてレバーシャフト３７の回転を阻止するロック位置からレバーシャフト３７の回転を許容するロック解除位置へ変位するリリースカム４６を有する。
【００９０】
また、第１実施形態の錠前ユニット２０Ａは、保管庫１の収納ボックス４Ａに取り付けられて収納ボックス４Ａの開閉を許可するものであって、第１端子部材５３と第２端子部材５４を備える接触式ＩＣチップ５２を内蔵する電子キー５１と、電子キー５１がキーガイドカバー３４と絶縁スペーサ４４とコンタクトホルダ３５とコンタクトピース１８と付勢ばね４１とホルダカバー３６とレバーシャフト３７をケース２４に対して一体的に回転させることにより収納ボックス４Ａの施錠と解錠を行う錠前２１と、レバーシャフト３７に係合してレバーシャフト３７の回転を阻止する作動軸２８を電気的に作動させるソレノイド２７と、第１及び第２端子部材５３，５４に接触してＩＣチップ５２のＩＣチップデータを読み取り、ＩＣチップデータに基づいて正当な権限を認証できた場合にソレノイド２７に通電して作動軸２８をレバーシャフト３７の回転を阻止する回転阻止位置からレバーシャフト３７の回転を許容する回転許容位置へ移動させる制御手段６１と、を有する錠前ユニット２０Ａにおいて、レバーシャフト３７に配置され、レバーシャフト３７に差し込まれる電子キー５１に押圧されてレバーシャフト３７の回転を阻止するロック位置からレバーシャフト３７の回転を許容するロック解除位置へ変位するリリースカム４６を有する。
【００９１】
このような保管庫１及び錠前ユニット２０Ａは、ソレノイド２７とリリースカム４６によりレバーシャフト３７を２重にロックする。そのため、保管庫１が外部から振動を与えられ、作動軸３７が動く場合でも、リリースカム４６がロック解除位置に配置されて内筒の回転を阻止する。よって、例えば、第三者は、保管庫１を叩いてソレノイド２７に振動を与えることにより作動軸２８をレバーシャフト３７から外しても、錠前２１を開錠して保管庫１を解錠して、保管物を不正に持ち出すことができない。また、例えば、作動軸２８を工具などで回転阻止位置から回転許容位置へ移動させても、リリースカム４６がレバーシャフト３７の回転を阻止しているので、錠前２１を不正に解錠できない。よって、第１実施形態の保管庫１及び錠前ユニット２０Ａによれば、高いセキュリティを安価に確保できる。
【００９２】
また、第１実施形態の保管庫１は、リリースカム４６をロック位置へ向かって付勢するリリースばね４７を有し、リリースカム４６は、レバーシャフト３７の電子キー５１を差し込まれる挿入孔３７ａに揺動可能に配置され、挿入孔３７ａに電子キー５１を差し込んでいない場合には、リリースばね４７に付勢されてロック位置に配置され、挿入孔３７ａに電子キー５１を差し込んだ場合に、リリースばね４７を圧縮して揺動し、ロック解除位置に配置される。よって、第１実施形態の保管庫１は、振動によってリリースカム４６がロック位置から移動しないようにリリースばね４７を強くしても、電子キー５１を挿入孔３７ａに差し込む力を利用してリリースカム４６をロック位置からロック解除位置へ簡単に移動させることができる。
【００９３】
第１実施形態の保管庫１は、ソレノイド２７が、通電時に作動軸２８を吸引して回転許容位置へ移動させるものであり、回転許容位置に配置された作動軸２８を保持するストッパ部材５０を有し、制御手段６１は、ストッパ部材５０が作動軸２８を回転許容位置で保持した後に、ソレノイド２７への通電を停止する。よって、第１実施形態の保管庫１によれば、ソレノイド２７への通電時間を短くしても、作動軸２８を回転許容位置で保持し続けることができ、消費電力を抑制できる。
【００９４】
第１実施形態の保管庫１は、錠前ユニット２０Ａが電池６２を有するので、ネットワークや電気配線等をしなくても、錠前ユニット２０Ａをスタンドアローンとして保管庫１に取り付けることができ、工事費用を抑えることができる。
【００９５】
第１実施形態の保管庫１は、錠前ユニット２０Ａが、電池６２と並列にコンデンサＣ１１を設け、ソレノイド２７に通電しない場合にコンデンサＣ１１にチャージを行い、ソレノイド２７に通電する場合に、電池６２の電圧とコンデンサＣ１１の電圧とを加算してソレノイドに印加する。そのため、ソレノイド２７への通電時には、電池６２による電圧の約２倍の電圧をソレノイド２７に印加することができる。これにより、本実施形態の保管庫１は、電池６２の使用本数を減らしてランニングコストを抑制できる。また、本実施形態の保管庫１は、ソレノイド２７の圧縮ばね力を増して、ソレノイド２７が振動によってレバーシャフト３７等を回転可能にする不具合を防止できるので、振動に対するセキュリティを向上させることができる。
【００９６】
（第２実施形態）
続いて、本発明の第２実施形態の保管庫及び錠前ユニットについて図面を参照して説明する。図１１は、本発明の第２実施形態に係る保管庫１の収納ボックス４Ａに取り付けられた錠前ユニット７０の上面図である。
第２実施形態の保管庫１と錠前ユニット７０は、第１及び第２扉１１，１２の開閉制限方法が第１実施形態と相違する点を除き、第１実施形態と構成が共通する。よって、ここでは、第１実施形態と相違する点を説明し、第１実施形態と共通する点は図面に同一符号を付し、説明を適宜省略する。
【００９７】
錠前ユニット７０は、ケース２４の対向する側面に設けた摺動溝７３，７３にデッドボルト７２が摺動可能に保持されている。デッドボルト７２は、第２扉１２に設けたストライク７１に嵌合して、第１及び第２扉１１，１２の開閉を制限する。
【００９８】
図１２は、図１１に示す錠前ユニット７０の中央縦断面図である。図１３は、図１２に示す錠前ユニット７０の背面図であって、レバーシャフト３７とデッドボルト７２との位置関係を説明する図である。
図１２に示すように、デッドボルト７２は、コード押さえプレート３３とカバー２５との間に配置され、スライド時に配線３２，４３などに接触して断線させることなないようにしている。図１３に示すように、デッドボルト７２は、レバーシャフト３７の係止片３７ｆが連結凹部７２ａに嵌め合わされて連結している。よって、錠前ユニット７０は、デッドボルト７２がレバーシャフト３７の回転に従ってスライドし、ストライク７１に嵌合又はストライク７１から後退することにより、施錠又は解錠を行う。
【００９９】
このような錠前ユニット７０は、カバー２５をケース２４から取り外すと共に、ボルト２３を緩めてロックレバー２２とフランジ１９をレバーシャフト３７から取り外し、デッドボルト７２を取り付けるだけで、ロック方法を変更できる。よって、デッドボルト７２によるスライド式施錠を行う錠前ユニット７０と、ロックレバー２２による回動式施錠を行う錠前ユニット２０Ａの部品を共通化してコストダウンを図るととができる。
【０１００】
尚、本発明は、上記実施の形態に限定されることなく、色々な応用が可能である。
上記実施形態では、トランジスタＴＲ１１、ＴＲ１２によりチャージ操作と電力供給動作とを切り替えた。このトランジスタＴＲ１１，ＴＲ１２に換えて接点スイッチを設けてもよい。
例えば、上記実施形態では、図９の回路ではNPN型とPNP型のトランジスタを使用したが、Nチャンネル、PチャンネルのパワーMOSFETなどに他の素子に置き換えても良い。
上記実施形態では、図４に示すように、ＩＣチップ５２とＬＥＤ５５に逆向きに連流を流し、ＩＣチップ５２のデータ読み取りとＬＥＤ５５の発光とを交互に行わせることにより、ＬＥＤ５５の消耗を抑制するようにした。これに対して、図１４に示すように、並列に接続したＩＣチップ５２とＬＥＤ５５に電流を同一方向に流し、ＩＣチップ５２のデータを読み取っている間、ＬＥＤ５５を点灯させるようにしても良い。
上記実施形態では、ケース２４を外筒の一例としたが、内筒の一例であるレバーシャフト３７を外筒に回転可能に収納し、その外筒をケース２４に固定しても良い。
上記実施形態では、ソレノイド２７を回転阻止手段の一例としたが、を作動回転防止素段の一例としても良い。
例えば、電子キー５１は、３以上の端子を備えていても良い。
例えば、上記実施形態では、電池６２によりソレノイド２７を駆動したが、ソレノイド２７を配線により電源に接続し、ソレノイド２７を駆動させても良い。
【図面の簡単な説明】
【０１０１】
【図１】本発明の実施形態に係る保管庫の外観斜視図である。
【図２】図１に示す収納ボックスに取り付けられた錠前ユニットの側面図である。
【図３】図１に示す収納ボックスに取り付けられた錠前ユニットを上方から見た図である。
【図４】図２に示す電子キーの電気回路図である。
【図５】図２に示す錠前ユニットを正面から見た図である。
【図６】図５に示す錠前ユニットの中央縦断面図であって、電子キー非挿入状態を示す。
【図７】図５に示す錠前ユニットの中央縦断面図であって、電子キー挿入状態を示す。
【図８】図５に示す錠前ユニットの分解斜視図である。
【図９】図５に記載する錠前ユニットが備える制御手段の電気回路図であって、チャージ状態を示す。
【図１０】解錠時におけるソレノイド両端電圧の変化を示す図である。
【図１１】本発明の第２実施形態に係る保管庫の収納ボックスに取り付けられた錠前ユニットの上面図である。
【図１２】図１１に示す錠前ユニットの中央縦断面図である。
【図１３】図１２に示す錠前ユニットの背面図であって、レバーシャフトとデッドボルトとの位置関係を説明する図である。
【図１４】電子キーの電気回路の変形例を示す図である。
【図１５】従来の錠前ユニットを示す図である。
【符号の説明】
【０１０２】
１，２  保管庫
３  デスク（保管庫）
４Ａ，４Ｂ，６，８Ａ〜８Ｃ，９Ａ〜９Ｅ  収納ボックス
１８  コンタクトピース（データ読み取り手段）
２０Ａ〜２０Ｋ  錠前ユニット
２１  錠前
２４  ケース（外筒）
２７  ソレノイド（回転阻止手段）
２８  作動軸
３７  レバーシャフト（内筒）
４６  リリースカム
４７  リリースばね
５０  ストッパ部材
５１  電子キー
５２  接触式ＩＣチップ
５３  第１端子部材（複数の端子）
５４  第２端子部材（複数の端子）
６１  制御手段
６２  電池
Ｃ１１  コンデンサ
【図１】
2010090600.tif 000003
【図２】
2010090600.tif 000004
【図３】
2010090600.tif 000005
【図４】
2010090600.tif 000006
【図５】
2010090600.tif 000007
【図６】
2010090600.tif 000008
【図７】
2010090600.tif 000009
【図８】
2010090600.tif 000010
【図９】
2010090600.tif 000011
【図１０】
2010090600.tif 000012
【図１１】
2010090600.tif 000013
【図１２】
2010090600.tif 000014
【図１３】
2010090600.tif 000015
【図１４】
2010090600.tif 000016
【図１５】
2010090600.tif 000017